(57)【要約】【課題】  本発明の目的は、接眼部等の接近部への物体の接近が検知される場合に、意図せず消費電力が増加してしまうことを防ぐことである。【解決手段】  接近部への物体の接近を検知する接近検知手段と、操作部への操作を検知する操作検知手段と、前記操作検知手段への操作がされていない状態が第１の時間未満かつ第２の時間未満である状態において、前記接近部への物体の接近を検知したことに応じてファインダ部を介して視認可能なファインダ内表示部への表示をし、前記操作検知手段への操作がされていない状態が第１の時間継続したことに応じて、前記接近部への物体の接近がされても前記ファインダ内表示部への表示をしない第１の状態にし、前記操作検知手段への操作がされていない所定の状態が前記第２の時間継続したことに応じて、前記第１の状態よりも消費電力の低い第２の状態になるように制御する制御手段とを有することを特徴とする。【選択図】  図３
2019032373.tif 000002
【特許請求の範囲】
【請求項１】
接近部への物体の接近を検知する接近検知手段と、
操作部への操作を検知する操作検知手段と、
前記操作検知手段への操作がされていない状態が第１の時間未満かつ第２の時間未満である状態において、前記接近部への物体の接近を検知したことに応じてファインダ部を介して視認可能なファインダ内表示部への表示をし、
前記操作検知手段への操作がされていない状態が第１の時間継続したことに応じて、前記接近部への物体の接近がされても前記ファインダ内表示部への表示をしない第１の状態にし、
前記操作検知手段への操作がされていない所定の状態が前記第２の時間継続したことに応じて、前記第１の状態よりも消費電力の低い第２の状態になるように制御する制御手段とを有することを特徴とする電子機器。
【請求項２】
前記所定の状態は、前記操作検知手段への操作はされず、且つ前記接近部へ物体が接近しない状態であることを特徴とする請求項１に記載の電子機器。
【請求項３】
接近部への物体の接近を検知する接近検知手段と、
操作部への操作を検知する操作検知手段と、
物体の接近に応じて表示部に表示をするように制御する表示制御手段と、
前記接近検知手段が前記接近部への物体の接近を検知しているが、前記操作検知手段への操作がされていない状態が第１の時間継続したことに応じて、前記接近部へ物体が接近しても前記表示部へ表示をしない第１の状態にするように制御する制御手段とを有することを特徴とする電子機器。
【請求項４】
前記第１の状態になった後、さらに、前記操作検知手段への操作がされてない状態が第２の時間継続した場合には、前記第１の状態よりもさらに消費電力の低い第２の状態になることを特徴とする請求項３に記載の電子機器。
【請求項５】
前記制御手段は、前記接近検知手段が前記接近部への物体の接近を検知しても、前記操作検知手段への操作がされてない状態が第１の時間継続したことに応じて、前記第１の状態にするように制御することを特徴とする請求項３または４に記載の電子機器。
【請求項６】
前記表示部はファインダ部を介して視認可能なファインダ内表示部であることを特徴とする請求項３乃至５のいずれか１項に記載の電子機器。
【請求項７】
前記接近部への物体の接近がされずに、前記操作検知手段への操作がされてない状態が前記第２の時間継続した場合には、前記第２の状態になり、前記接近部への物体の接近がされたことに応じて、前記第２の状態から復帰することを特徴とする請求項１、２、４のいずれか１項に記載の電子機器。
【請求項８】
前記制御手段は、前記接近検知手段が前記接近部への物体の接近を検知しており、前記第１の状態でも、前記第２の状態でもない状態から、前記第２の状態になると、ファインダ部を介して視認可能なファインダ内表示部への表示と、前記ファインダ部の外の表示部への表示とを共に非表示にし、前記接近部へ物体が接近しておらず、前記第１の状態でも、前記第２の状態でもない状態から、前記第２の状態になると、前記ファインダ部の外の表示部への表示を非表示にするように制御することを特徴とする請求項１、２、４、７のいずれか１項に記載の電子機器。
【請求項９】
撮像手段をさらに有し、
前記第１の状態では、前記撮像手段は起動しており、前記第２の状態では前記撮像手段は起動しないことを特徴とする請求項１、２、４、７、８のいずれか１項に記載の電子機器。
【請求項１０】
前記第２の状態からさらに前記操作検知手段への操作がされていない状態が第２の時間経過したことに応じて、前記電子機器の電源を切るようにすることを特徴とする請求項１、２、４、７、８、９のいずれか１項に記載の電子機器。
【請求項１１】
前記制御手段は、前記第２の状態であり、さらに前記第１の状態である場合には、前記接近部へ物体が接近しても、前記第２の状態から復帰せず、前記第２の状態であるが、前記第１の状態でない場合には、前記接近部へ物体が接近しても、前記第２の状態から復帰するように制御することを特徴とする請求項１、２、４、７、８、９、１０のいずれか１項に記載の電子機器。
【請求項１２】
前記制御手段は、前記ファインダ内表示部に表示をしている際に、前記第１の状態にする所定時間前に、前記ファインダ内表示部に表示がされなくなることを示すガイドを表示するように制御することを特徴とする請求項１乃至１１のいずれか１項に記載の電子機器。
【請求項１３】
前記制御手段は、前記操作検知手段への操作がされてない状態が前記第１の時間継続したことに応じて、前記接近検知手段が物体の接近の検知を行わないように制御することを特徴とする請求項１乃至１２のいずれか１項に記載の電子機器。
【請求項１４】
接近部への物体の接近を検知する接近検知ステップと、
操作部への操作を検知する操作検知ステップと、
前記操作検知ステップにおいて操作がされていない状態が第１の時間未満かつ第２の時間未満である状態において、前記接近部への物体の接近を検知したことに応じてファインダ部を介して視認可能なファインダ内表示部への表示をし、
前記操作検知ステップにおいて操作がされていない状態が第１の時間継続したことに応じて、前記接近部への物体の接近がされても前記ファインダ内表示部への表示をしない第１の状態にし、
前記操作検知ステップにおいて操作がされていない所定の状態が前記第２の時間継続したことに応じて、前記第１の状態よりも消費電力の低い第２の状態になるように制御する制御ステップとを有することを特徴とする電子機器の制御方法。
【請求項１５】
接近部への物体の接近を検知する接近検知ステップと、
操作部への操作を検知する操作検知ステップと、
物体の接近に応じて表示部に表示をするように制御する表示制御ステップと、
前記接近検知ステップにおいて前記接近部への物体の接近を検知しているが、前記操作検知ステップにおいて操作がされていない状態が第１の時間継続したことに応じて、前記接近部へ物体が接近しても前記表示部へ表示をしない第１の状態にするように制御する制御ステップとを有することを特徴とする電子機器の制御方法。
【請求項１６】
コンピュータを、請求項１乃至１３のいずれか１項に記載された電子機器の各手段として機能させるためのプログラム。
【請求項１７】
コンピュータを、請求項１乃至１３のいずれか１項に記載された電子機器の各手段として機能させるためのプログラムを格納したコンピュータが読み取り可能な記録媒体。
【発明の詳細な説明】
【技術分野】
【０００１】
本発明は、接近部への物体の接近を検知可能な電子機器およびその制御方法に関する。
【背景技術】
【０００２】
ユーザからの操作がされない場合に、省電をするために、操作がされていない時間が継続したことに応じて電源を遮断する方法がある。特許文献１には、１０分以上操作がされず、ファインダへの接眼も検知されていない場合には、電源を遮断し、接眼検知された場合にはオートパワーオフタイマーをクリアーし、ファインダの使用中に電源が遮断されないようにすることが開示されている。
【先行技術文献】
【特許文献】
【０００３】
【特許文献１】特開２０００‐１６５７０５号公報
【発明の概要】
【発明が解決しようとする課題】
【０００４】
ユーザはデジタルカメラを首や肩から掛けた状態で持ち歩くことがある。特許文献１の方法では、首や肩から掛けた状態で持ち歩いた際には、ファインダへ接眼検知をしてしまい、なかなかオートパワーオフされず、消費電力が増大する可能性がある。
【０００５】
本発明は、上記の課題に鑑み、接眼部等の接近部への物体の接近が検知される場合に、意図せず消費電力が増加してしまうことを防ぐことのできる電子機器の提供を目的とする。
【課題を解決するための手段】
【０００６】
上記目的を達成するために、本発明の電子機器は、接近部への物体の接近を検知する接近検知手段と、操作部への操作を検知する操作検知手段と、前記操作検知手段への操作がされていない状態が第１の時間未満かつ第２の時間未満である状態において、前記接近部への物体の接近を検知したことに応じてファインダ部を介して視認可能なファインダ内表示部への表示をし、前記操作検知手段への操作がされていない状態が第１の時間継続したことに応じて、前記接近部への物体の接近がされても前記ファインダ内表示部への表示をしない第１の状態にし、前記操作検知手段への操作がされていない所定の状態が前記第２の時間継続したことに応じて、前記第１の状態よりも消費電力の低い第２の状態になるように制御する制御手段とを有することを特徴とする。
【発明の効果】
【０００７】
本発明によれば、接近部への物体の接近が検知される場合に、意図せず消費電力が増加してしまうことを防ぐことができる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】第１実施形態における省電移行処理を示すフローチャート
【図４】第１実施形態における節電タイマと接眼センサタイマがタイムアウトする様子を示す図
【図５】第１実施形態における節電状態から復帰またはリセットする様子を示す図
【図６】第１実施形態における接眼状態と節電タイマ、接眼センサタイマのカウントの関係を示す図
【図７】第１実施形態における節電状態から復帰する様子を示す図
【図８】第２実施形態における省電移行処理を示すフローチャート
【発明を実施するための形態】
【０００９】
以下、図面を参照して本発明の好適な実施形態を説明する。図１に本実施形態の一例としてのデジタルカメラ１００の外観図を示す。
【００１０】
表示部２８は画像や各種情報を表示する表示部２８を備えると共に、タッチパネル７０ａを備えている。ファインダ内表示部５８は表示部２８と同様に画像や各種情報を表示する事が可能な電子ビューファインダである。接眼センサ５７はファインダ１６（接近部、ファインダ部）への物体の接近を検知する接眼センサであり、接眼の有無により表示部２８とファインダ内表示部５８の表示出力先を切り替える。例えば、ユーザがファインダ１６を覗こうとして、目を近づけると、接眼センサ５７が物体の接近を検知し、表示部２８からファインダ内表示部５８へと表示を切り替えることができる（視認可能になる）。なお、本実施例において接近とは接触を含む。
【００１１】
シャッターボタン６１は撮影指示を行うための操作部である。モード切替スイッチ６０は各種モードを切り替えるための操作部である。コネクタ１１２は、パーソナルコンピュータやプリンタなどの外部機器と接続するための接続ケーブル１１１とデジタルカメラ１００とのコネクタである。
【００１２】
操作部７０（操作検知）はユーザからの各種操作を受け付ける各種スイッチ、ボタン、及びタッチパネル７０ａ等の操作部材より成る操作部である。コントローラーホイール７３は操作部７０に含まれる回転操作可能な操作部材である。電源スイッチ７２は、電源オン、電源オフを切り替えるための押しボタンである。操作部７０には、メニューボタンや再生ボタン（不図示）も含まれる。
【００１３】
記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり、記録や再生が可能となる。蓋２０２は記録媒体スロット２０１の蓋である。図においては、蓋２０２を開けてスロット２０１から記録媒体２００の一部を取り出して露出させた状態を示している。
【００１４】
図２は、本実施形態によるデジタルカメラ１００の構成例を示すブロック図である。図２において、撮影レンズ１０３はズームレンズ、フォーカスレンズを含むレンズ群である。
【００１５】
シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。撮像部２２とはじめとする、上述の撮像に関する構成は、通常の状態では起動し、撮像画像（ライブビュー画像）を出力しているが、節電状態になると起動が停止する。
【００１６】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１７】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。
【００１８】
Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８またはファインダ内表示部５８により表示される。表示部２８またはファインダ内表示部５８は、ＬＣＤや有機ＥＬ等の表示器上に、Ｄ／Ａ変換器１３からのアナログ信号に応じた表示を行う。システム制御部５０は、表示部２８とファインダ内表示部５８のいずれに表示するかを切り替えることができる。なお、ファインダ内表示部５８は、電子ビューファインダとして説明をするが、電子ビューファインダではなく、光学ファインダでもよい。光学ファインダの場合には、ミラーがアップすることにより、表示部２８へ撮像画像が表示されるようになり、ミラーがダウンすると、光学像がファインダを介して視認可能になる。さらに、光学ファインダの場合には、ファインダ内表示部は、液晶パネルの表示部であり、撮影の設定値やＡＦ枠等を光学像と重畳して確認することができる。
【００１９】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２０】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御すると共に、接眼センサ５７の接眼検知情報も踏まえ表示部２８及びファインダ内表示部５８への表示制御も行う。
【００２１】
システムタイマ５３は各種制御に用いる時間や、内蔵された時計の時間を計測する計時部である。システムタイマ５３は、節電用のタイマや、接眼センサ用のタイマの計時を行う。
【００２２】
モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、メニューボタンに含まれるこれらのモードのいずれかに直接切り替えられる。あるいは、モード切替スイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。
【００２３】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２４】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２５】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。また、操作部７０にはタッチパネル７０ａが含まれる。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２はデジタルカメラ１００の電源のＯＮとＯＦＦを切り替え可能なスイッチである。
【００２７】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２８】
通信部５４は、無線または有線ケーブルによって接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００２９】
ユーザは、ファインダ１６を覗きこむと、ファインダ内表示部５８に表示された被写体を見ることができる（視認可能）。接眼センサ５７は、物体が１センチや２センチ等の所定距離より近い距離（所定距離以内）に接近していることを検知するための物体検知手段（接眼検知手段）である。例えばユーザがファインダ１６に目を近付け（接眼部を覗きこむようにする）、接眼センサ５７が物体（目）の接近を検知すると、表示部２８からファインダ内表示部５８に表示が切り替わり、ユーザは被写体の様子を見ることができる。また、接眼センサ５７は所定距離以上物体（目）が離れたことを検知すると、ファインダ内表示部５８からアイテム等の表示を非表示にし、表示部２８に表示を切り替える。
【００３０】
なお操作部７０にタッチパネル７０ａが含まれる場合、システム制御部５０はタッチパネルへの以下の操作。あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する。）
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００３１】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３２】
これらの操作・状態や、タッチパネル上に指やペンがタッチしている位置座標はシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００３３】
＜第１実施形態＞
次に、図３を用いて第１実施形態における省電移行処理について説明をする。この処理は、不揮発性メモリ５６に記録されたプログラムをシステムメモリ５２に展開してシステム制御部５０が実行することで実現する。なお、この処理は、デジタルカメラ１００に電源が入ると開始する。
【００３４】
Ｓ３０１では、システム制御部５０は、撮像部２２の撮像の駆動を開始する。
【００３５】
Ｓ３０２では、システム制御部５０は、ファインダ外にある背面の表示パネルである表示部２８への表示へ、撮像部２２により取得された撮像画像（ライブビュー画像、ＬＶ画像）を表示する。また、撮像画像と共にシャッター速度やＩＳＯ感度といった撮影に関する情報を表示する。なお、メニューボタンが押下された場合はメニュー画面、再生モードへ切り替えられた場合は再生画面を表示する。
【００３６】
Ｓ３０３では、システム制御部５０は、接眼センサ５７をＯＮにする。接眼センサ５７をＯＮにすると、ファインダ１６への物体の接近、または接近した状態から離れたことを検知可能になる。接眼センサ５７がＯＦＦになるとファインダ１６へ物体の接近は検知しない。接眼センサ５７がＯＮかＯＦＦかは、システムメモリ５２に記録する。
【００３７】
Ｓ３０４では、システム制御部５０は、節電タイマＬをリセットし、節電タイマＬのカウントを開始する。節電タイマＬは、システムタイマ５３により計時され、計時時間はシステムメモリ５２に逐次記録される。節電タイマＬの時間はメニュー画面において設定可能であり、３０秒から３分まで３０秒ごとに設定可能である。
【００３８】
Ｓ３０５では、システム制御部５０は、接眼センサタイマＣをリセットし、接眼センサタイマＣのカウントを開始する。接眼センサタイマＣは、システムタイマ５３により計時され、計時時間はシステムメモリ５２に逐次記録される。接眼センサタイマＣの時間はメニュー画面において設定可能であり、３０秒から３分まで３０秒ごとに設定可能である。
【００３９】
Ｓ３０６では、システム制御部５０は、接眼センサ５７がＯＮの状態であるか否かを判定する。接眼センサ５７がＯＮであると判定した場合は、Ｓ３０７へ進み、そうでない場合は、Ｓ３１１へ進む。
【００４０】
Ｓ３０７では、システム制御部５０は、接眼センサ５７がファインダ１６への物体の接近を検知したか否かを判定する。物体の接近を検知したと判定した場合は、Ｓ３０８へ進み、そうでない場合は、Ｓ３０９へ進む。なお、Ｓ３０７の判定は、ユーザによる表示切替操作によっても受け付け可能である。ユーザは、表示先の切り替えの方法として、接眼センサ５７による検知結果を優先するオートモードと、ユーザのボタン操作での切り替え指示を優先にするマニュアルモードとを選択することができる。
【００４１】
Ｓ３０８では、システム制御部５０は、表示部２８への表示をＯＦＦにし、ファインダ内表示部５８の表示をＯＮにする。すなわち、ライブビュー画像を表示部２８に表示していた場合には、ライブビュー画像の表示を表示部２８からファインダ内表示部５８に切り替える。なお、マニュアルモードの場合には、表示先が表示部２８であると、接眼センサ５７をＯＦＦにしているので、ユーザがファインダ１６を覗いてもＳ３０８、Ｓ３１０の処理は行わない。
【００４２】
Ｓ３０９では、システム制御部５０は、表示部への表示をＯＮにし、ファインダ内表示部５８の表示をＯＦＦにする。すなわち、ライブビュー画像をファインダ内表示部５８に表示していた場合には、ライブビュー画像の表示をファインダ内表示部５８から表示部２８に切り替える。
【００４３】
Ｓ３１０では、システム制御部５０は、節電タイマＬをリセットし、節電タイマＬのカウントを開始する。
【００４４】
Ｓ３１１では、システム制御部５０は、キー操作があったか否かを判定する。キー操作には、操作部７０のうち、タッチパネル７０ａへのタッチ操作を含まないボタン操作、シャッターボタン６１、電源スイッチ７２への操作が含まれる。キー操作があったと判定した場合は、Ｓ３１２へ進み、そうでない場合は、Ｓ３１６へ進む。
【００４５】
Ｓ３１２では、システム制御部５０は、Ｓ３１１において判定された操作が撮影指示、すなわち、シャッターボタン６１への押下であったか否かを判定する。撮影指示がされたと判定した場合は、Ｓ３１３へ進み、そうでない場合は、Ｓ３１４へ進む。
【００４６】
Ｓ３１３では、システム制御部５０は、撮影を行う。つまり、撮像部２２により取得された撮像画像を記録媒体２００に記録する。
【００４７】
Ｓ３１４では、システム制御部５０は、省電移行処理を終了するか否かを判定する。つまり、Ｓ３１１において判定されたキー操作において、電源スイッチ７２の押下がされ、デジタルカメラ１００の電源がＯＦＦにされたか否かを判定する。省電移行処理を終了すると判定した場合は、終了し、そうでない場合は、Ｓ３１５へ進む。
【００４８】
Ｓ３１５では、システム制御部５０は、Ｓ３１１において判定されたキー操作に対応する処理を行う。Ｓ３１１において、モード切り替えスイッチ６０が操作された場合には、モードを切り替え、コントローラーホイール７３への回転操作がされた場合には、撮影項目の設定値の変更などコントローラーホイール７３に割りあたっている処理を実行する。Ｓ３１５においては、シャッター速度、ＩＳＯ感度、ホワイトバランスといった撮影項目の設定値の切り替え、メニュー画面への遷移や再生モードへの遷移等が含まれる。
【００４９】
Ｓ３１６では、システム制御部５０は、タッチパネル７０ａへのタッチ操作が検出されたか否かを判定する。タッチパネル７０ａへのタッチ操作が検出されたと判定した場合は、Ｓ３１７へ進み、そうでない場合は、Ｓ３１８へ進む。
【００５０】
Ｓ３１７では、システム制御部５０は、表示部が非表示であれば表示状態にし、Ｓ３１６において検出されたタッチ操作に対応する処理を実行する。タッチ操作に対応する処理とは、表示部２８またはファインダ内表示部５８にライブビュー画像が表示されている場合には、ＡＦ位置の設定や撮影項目の設定値の変更である。メニュー画面や再生画面が表示されている場合には、メニュー項目や設定値の選択や画像の拡大、切り替え操作等である。
【００５１】
Ｓ３１８では、システム制御部５０は、接眼センサ５７がＯＮであるか否かを判定する。接眼センサ５７がＯＮであると判定した場合は、Ｓ３１９へ進み、そうでない場合は、Ｓ３２５へ進む。
【００５２】
Ｓ３１９では、システム制御部５０は、接眼センサタイマＣがタイムアウト、すなわち設定された所定時間経過したか否かを判定する。接眼センサタイマＣは、接眼センサ５７による物体の接近の検知の有無に関わらず、ユーザからのキー操作またはタッチ操作が所定時間なければタイムアウトする。接眼センサタイマＣがタイムアウトしたと判定した場合は、Ｓ３２０へ進み、そうでない場合は、Ｓ３２３へ進む。
【００５３】
Ｓ３２０では、システム制御部５０は、Ｓ３０７と同様に接眼センサ５７が物体の接近を検知したか否かを判定する。物体の接近と検知したと判定した場合は、Ｓ３２１へ進み、そうでない場合は、Ｓ３２２へ進む。
【００５４】
Ｓ３２１では、システム制御部５０は、ファインダ内表示部５８の表示を非表示にする。接眼センサタイマＣがＳ３１９においてタイムアウトしたので、ユーザがファインダ１６を覗いていてもファインダ内表示部５８の表示を非表示にする。一方で、接眼センサタイマＣがタイムアウトしても、そもそもユーザがファインダ１６を覗いておらず背面の表示部２８を見ていた場合（もしくは接眼検知していない場合）には、表示部２８の表示は非表示にしない。すなわち、接眼センサタイマＣがタイムアウトした場合は、節電タイマＬがタイムアウトした場合とは異なり、ファインダ１６への表示とＳ３２２で後述する接眼センサ５７の検知の２つを行わないようにする。
【００５５】
Ｓ３２２では、システム制御部５０は、接眼センサ５７の検知を停止する（無効）。すなわち、ファインダ１６へ物体が接近、もしくは接近状態から離れていく状態があっても、接眼センサ５７の検知が停止しているのでその検知はされなくなる。このように、Ｓ３１９において接眼センサタイマＣがタイムアウトして接眼センサ５７の検知を停止すると、ファインダ１６にユーザの腹部があたっていても、接眼センサ５７が物体の接近を検知しない。よって、ユーザがデジタルカメラ１００を首からかけた状態で、ファインダ１６に腹部が当たっていても、接眼センサ５７による物体の接近が検知されないので、節電タイマＬがリセットされることなく、カウントが継続される。接眼センサ５７の検知が停止されないと、なかなか節電状態に移行せず、消費電力が増大するが、接眼センサ５７の検知を停止することにより節電状態に入りやすくなる。また、接眼センサタイマＣを設けることなく、初めから節電タイマＬを接眼センサ５７の検知に応じてリセットしないようにすることも考えられる。しかし、ユーザがファインダ１６を覗いているが操作をしていない場合に、すぐに節電状態に入ってしまうと、ユーザは節電状態に入らないようにするためにわざわざ不要な操作を行わなければならなくなる。もしくは、撮影機会を待っているのに、意図せず節電状態になってしまい結局節電状態から復帰している間に撮影機会を逃す可能性もある。なお、接眼センサ５７の検知を停止しなくても、接眼センサ５７の検知をシステム制御部５０が無視するようにしてもよい。
【００５６】
Ｓ３２３では、システム制御部５０は、接眼センサタイマＣがタイムアウトする５秒前（所定時間前）であるか否かを判定する。５秒前であると判定した場合は、Ｓ３２４へ進み、そうでない場合は、Ｓ３２５へ進む。
【００５７】
Ｓ３２４では、システム制御部５０は、ファインダ内表示部５８の表示がされなくなる旨を示すガイドをファインダ内表示部５８にもともと表示していた画像に重畳して表示する。ガイドの内容は、ファインダーの表示を消します、ボタン操作すると表示しますといった内容である。なお、ガイドをしては接眼センサ５７が無効になる旨を示してもよい。ファインダ内表示部５８にライブビュー画像が表示されていた場合はライブビュー画像に、メニュー画面を表示していた場合はメニュー画面に、再生画面を表示していた場合は再生画像に、ガイドを重畳して表示する。
【００５８】
Ｓ３２５では、システム制御部５０は、節電タイマＬがタイムアウトしたか否かを判定する。節電タイマＬがタイムアウトしたと判定した場合は、Ｓ３２６へ進み、そうでない場合は、Ｓ３０６へ進む。
【００５９】
Ｓ３２６では、システム制御部５０は、ファインダ内表示部５８、表示部２８を共に非表示にし、さらに撮像部２２の撮像処理を含む撮像駆動を停止する。Ｓ３２１において既にファインダ内表示部５８を非表示にしていた場合は、Ｓ３２６では表示部２８のみを非表示にする。ファインダ内表示部５８と表示部２８とを共に非表示にすると、画像処理部２４、メモリ制御部１５、Ｄ／Ａ変換器１３への制御も不要となるので、消費電力が大幅に小さくなる。Ｓ３２１においてファインダ内表示部５８を非表示にした場合には、いずれの表示部も非表示になっているが、画像処理部２４、メモリ制御部１５、Ｄ／Ａ変換器１３への制御は行うため、消費電力はＳ３２６のときほど小さくはならない。ただし、Ｓ３２１において画像処理部２４、メモリ制御部１５、Ｄ／Ａ変換器１３の制御を停止してもよいが、再び表示するまでの時間は停止しない場合よりもかかるので、節電状態に移行するまえは上記の構成の制御を全て停止しない方がよい。
【００６０】
Ｓ３２７では、システム制御部５０は、キー操作があったか否かを判定する。キー操作があったと判定した場合は、Ｓ３０１へ進み、そうでない場合は、Ｓ３２８へ進む。節電状態からは、タッチ操作ではなく、キー操作（または後述する接眼センサ５７が有効（ＯＮ）な場合には接眼検知）でなければ復帰しないので、キー操作があった場合には、Ｓ３０１に進む。そして、Ｓ３０１において撮像駆動を開始したり、Ｓ３０２で表示部２８への表示をしたりする。なお、表示部２８への表示でなくても、節電状態から復帰したときに接眼センサ５７が物体の接近を検知していた場合には、Ｓ３０２において表示部２８に表示することなく、ファインダ内表示部５８への表示をしてもよい。
【００６１】
Ｓ３２８では、システム制御部５０は、接眼センサ５７が有効（ＯＮ）であるか（検知が停止されていないか）否かを判定する。接眼センサ５７が有効（ＯＮ）であると判定した場合は、Ｓ３２９へ進み、そうでない場合は、Ｓ３２７へ進む。つまり、接眼センサ５７が有効でない場合には、キー操作でしか節電状態から復帰しない。
【００６２】
Ｓ３２９では、システム制御部５０は、接眼センサタイマＣがタイムアウトしたか否かを判定する。Ｓ３２８において接眼センサ５７が有効であると判定された場合には、まだ接眼センサタイマＣはタイムアウトしていない。節電状態であるが、接眼センサタイマＣがまだタイムアウトしていない場合には、Ｓ３３０においてファインダ１６への物体の接近を検知する。節電状態であるが、接眼センサ５７の検知が停止していない状態は、ユーザが無操作、かつファインダ１６を覗いていない状態で構えていた場合に生じる可能性がある。例えばユーザが表示部２８に表示されるライブビュー画像を見ながら、撮影機会を待っている場合には、節電状態であるが、接眼センサ５７の検知していない状態になりうる。よって、ユーザがファインダ１６を覗く操作をした場合には、ユーザがデジタルカメラ１００を使用中である状態であると判定する。ユーザがファインダ１６を覗かないまま、接眼センサタイマＣがタイムアウトした場合には接眼センサ５７の検知も停止する。接眼センサタイマＣがタイムアウトした場合には、Ｓ３３１へ進み、そうでない場合は、Ｓ３３０へ進む。
【００６３】
Ｓ３３０では、システム制御部５０は、Ｓ３０７、Ｓ３２０と同様に接眼センサ５７が物体の接近を検知したか否かを判定する。物体の接近と検知したと判定した場合は、Ｓ３０１へ進み、節電状態から復帰し、そうでない場合は、Ｓ３２７へ進み、キー操作がされるか、接眼が検知されるのを待つ。
【００６４】
Ｓ３３１では、システム制御部５０は、接眼センサ５７の検知を停止する（無効）。これにより、ファインダ１６への接近が検知されたことにより、節電状態から復帰することがなくなる。Ｓ３２８で接眼センサ５７は有効であると判定された場合には、ユーザが無操作、かつファインダ１６を覗いていない状態で構えていた可能性が高いとしたが、接眼センサ５７が無効になったので、ユーザがデジタルカメラ１００を保持せずに置いていた可能性が高い。よって、節電状態からユーザがファインダ１６を覗いても復帰せず、キー操作で復帰できるようにするようにする。これにより、不用意に節電状態から復帰しなくなるので、省電が大きくなる。さらに、節電機能は、キー操作及び接眼センサがＯＮの際の接眼検知により（通常の状態へ）復帰するが、Ｓ３３１の節電状態から更に一定時間、キー操作が行われなかった場合には撮像装置自体の電源をＯＦＦとするオートパワーオフを備える構成としてもよい。
【００６５】
以上、説明した実施形態によれば、ユーザの操作性を低下させることなく、かつユーザの意図しないまま電力を大量に消費する可能性を低減することができる。首や肩からデジタルカメラ１００をかけ、ユーザが無操作状態である場合に、ファインダ１６への物体の接近が検知されていたとしても、節電状態に移行することができるので、ユーザの意図しないまま電力が大量に消費されてしまうことがない。節電状態へ移行するタイマを接眼検知に応じてリセットすると、ファインダ１６への物体の接近が検知される限り、なかなか節電状態に移行できないが、接眼センサタイマＣを設けることで、節電状態へ移行することができる。また、接眼センサタイマＣを設けず、節電状態への移行に接眼センサ５７の検知を考慮しないようにすると、ユーザが無操作でファインダ１６を覗いたり、表示部２８の表示をみたりしているのに、節電状態になってしまう。
【００６６】
なお、Ｓ３１６で検知したタッチは、タッチパネル７０ａへのタッチが所定面積以上であるラージオブジェクトの場合には、タッチがされなかったと判定するようにしてもよい。つまり、ユーザの腹部等のある程度面積の大きな物体がタッチパネル７０ａに接触した場合には、ユーザの意図していないタッチであるとして、Ｓ３１６の判定をＮｏとしてもよい。
【００６７】
また、ファインダ１６を覗きながら、タッチパネル７０ａへのタッチ操作をしてＡＦ位置の移動等するタッチパッド操作を受け付けている状態においては、タッチ操作によるタイマのリセットはしないようにしてもよい。
【００６８】
また、ファインダ１６への物体の接近の検知は接眼センサ５７で行うものとして説明をしたが、タッチパネル７０ａにおいて物体の接近を検知するようにしてもよい。
【００６９】
次に図４〜図７を用いて、上述の第１実施形態の具体例を説明する。図４〜図７は、それぞれ横軸に時間を示しており、出力先として表示部２８、ファインダ内表示部５８、撮像駆動のＯＮ、ＯＦＦを示している。さらに、節電タイマＬと接眼センサタイマＣの時間も示しており、それぞれ残り時間が０になると、節電状態、接眼センサＯＦＦの状態になる。
【００７０】
図４（ａ）、（ｂ）は、節電タイマＬと接眼センサタイマＣとがそれぞれタイムアウトしていく様子を示している。図４（ａ）は、ユーザがファインダ１６を時間ｔ３で覗た状態を示しており、時間ｔ１においてキー操作もしくはタッチ操作がされると、節電タイマＬ、接眼センサタイマＣとがリセットされ、ｔ２までの時間経過に応じて再びカウントされていくことを示している。さらにｔ２において、キー操作もしくはタッチ操作がされると各タイマがリセットされるが、その後操作がされないと各タイマはタイムアウトしていく。図４（ｂ）は、ユーザがファインダ１６を覗いている状態を示しており、時間ｔ３に接眼検知されると表示先が表示部２８からファインダ内表示部５８に切り替わる。また、時間ｔ４においては、無操作の時間が、接眼センサタイマＣ経過しておらず（第１の時間未満とする）、さらに節電タイマＬ経過もしていない（第２の時間未満とする）ので、接眼が検知されると、節電タイマＬはリセットされる。さらに、時間ｔ４においてキー操作またはタッチ操作がされると、接眼センサタイマＣがリセットされる。このとき、節電タイマＬは、接眼が検知されているので、カウントされない。時間ｔ５においてキー操作またはタッチ操作がされた後、時間ｔ６まで無操作（無操作が第１の時間以上経過）であると、接眼センサタイマＣがタイムアウトする。時間ｔ５から時間ｔ６においては、接眼が検知されているので、節電タイマＬはカウントされない。時間ｔ６において接眼センサタイマＣがタイムアウトすると、接眼センサ５７がＯＦＦになり、表示部２８とファインダ内表示部５８共に非表示になる。時間ｔ６からｔ７においては、接眼センサ５７がＯＦＦになっているので、節電タイマＬのカウントがされる。
【００７１】
図５（ａ）、（ｂ）は、節電状態からの復帰またはリセットをする要因について説明するための図である。図５（ａ）は、ユーザがファインダ１６を覗いていない状態を示していると共に、節電タイマの方が接眼センサタイマよりも短い場合を示しており、時間ｔ８以前の表示先は表示部２８である。時間ｔ８において、節電状態になると、表示部２８への表示と、撮像駆動が停止する。このとき、接眼センサタイマＣはタイムアウトしていないので、時間ｔ８から時間ｔ９においては、接眼センサ５７の物体の接近検知または、キー操作により、節電状態から復帰できる。時間ｔ９において接眼センサタイマＣがタイムアウトしてしまうと、接眼センサ５７がＯＦＦになり、キー操作でしか節電状態及び、接眼センサ５７のＯＦＦ状態から復帰できなくなる。図５（ｂ）は、ユーザがファインダ１６を覗いていない状態を示していると共に、節電タイマ時間の方が接眼センサタイマよりも長い場合を示している。時間ｔ１０において接眼センサタイマＣがタイムアウトするまでは、接眼がされると、節電タイマＬがリセットされるが、時間ｔ１０において接眼センサ５７がＯＦＦになると、接眼がされても節電タイマＬはリセットされない。
【００７２】
図６（ａ）、（ｂ）は、接眼や離眼（ファインダ１６への接近状態から離れる状態）の状態が検知された場合の節電タイマＬと接眼センサタイマＣのカウントの様子を示したものである。図６（ａ）は、時間ｔ１２において接眼が検知されたので、節電タイマＬがリセットされるが、操作がされないまま時間ｔ１３まで時間が経過すると接眼センサタイマＣがタイムアウトし、接眼センサ５７がＯＦＦになる。時間ｔ１４において、接眼から離眼の状態になっても、すでに接眼センサ５７がＯＦＦになっているので、ユーザからのキー操作やタッチ操作がされない限り、節電タイマＬはリセットされることがなく、時間ｔ１５において節電状態に移行する。すなわち、時間ｔ１３から時間ｔ１５までの間、無操作が継続すると（無操作の状態が第２の時間継続すると）、節電状態になる。図６（ｂ）は、接眼と離眼の変化により、接眼センサタイマＣがリセットされることがないことを示している。時間ｔ１６において接眼センサ５７が物体の接近を検知し、時間ｔ１７において離れたことを検知、さらに時間ｔ１８において接近したことを検知しても、接眼センサタイマＣはリセットされることがない。一方で、節電タイマＬは接眼センサ５７が物体の接近と検知している状態ではカウントせず、さらに、物体が離れたことを検知するとタイマをリセットする。時間ｔ２０において接眼センサタイマＣがタイムアウトすると、接眼センサ５７がＯＦＦになるが、表示部２８への表示はされたままである。時間ｔ１９において接眼センサ５７が物体を離れたことを検知したので、節電タイマＬは時間ｔ１９からカウントを開始し、時間ｔ２１になると節電タイマＬがタイムアウトする。時間ｔ２０と時間ｔ２１の間に、再び接眼センサ５７が物体の接近を検知しても、節電タイマＬはリセットされることがない。
【００７３】
図７（ａ）、（ｂ）は、節電状態（Ｓ３２６）から復帰する場合について説明するための図である。図７（ａ）は、最初に接眼センサがＯＮの場合に、接眼センサタイマＣがタイムアウトしておらず、節電状態になった後、時間ｔ２２においてタッチ操作がされても復帰はしないことを示している。さらに、ここで、接眼センサ５７において物体の接近が検知されると、節電状態から復帰する。図７（ｂ）は、最初に接眼センサがＯＮの場合に、図７（ａ）と同様に、接眼センサタイマＣがタイムアウトしておらず、節電状態になった後、時間ｔ２４においてタッチ操作がされても接眼センサタイマＣはリセットせず、さらに時間ｔ２５になると接眼センサタイマがタイムアウトする。それによって接眼センサはＳ３３１のようにＯＦＦとなるので、その後、時間ｔ２６において離眼しても、接眼センサがＯＦＦになっているので、節電状態からは復帰しない。しかし、時間ｔ２７においてキー操作がされると節電状態から復帰する。節電状態から復帰すると、撮像駆動が開始され、さらに表示部２８への表示がされるようになる。
【００７４】
このように、接眼センサタイマＣを設けることで、接眼センサ５７の物体の接近検知状態によらずに、接眼センサ５７がＯＦＦになり、その後さらに無操作状態が続けば節電状態へと移行することができる。さらに、接眼センサ５７がＯＦＦになると、接眼センサ５７の接近検知によっては、節電状態からは復帰しないが、接眼センサ５７がＯＦＦでない状態では、接眼センサ５７の接近検知によって節電状態から復帰する。
【００７５】
撮影時のユーザのデジタルカメラ１００の使用パターンとしてはいくつかある。１つ目として、ファインダを覗きながら、撮影をしようとしているパターン。２つ目として、首や肩からデジタルカメラ１００をかけて操作をしていないが、撮影機会が来たら撮影をしようとしているパターン。３つ目として、背面の表示部を見ながら、撮影をしようとしているパターン。上述の実施形態によれば、１つ目のパターンでは、ファインダを覗いているので、無操作時間が多少続いたとしても、接眼センサタイマＣがタイムアウトする５秒前にガイドが出るので、ユーザは操作をすればよいことに気付くことができる。２つ目のパターンでは、ファインダを覗いていない状態で接眼状態が検知されても、無操作の時間が続けば、接眼センサがＯＦＦになるので、その後、ファインダに腹部が当たったりしても、節電状態へと移行することができる。３つ目のパターンでは、背面の表示部を見ながら、操作をしない時間が継続すると接眼センサがＯＦＦになるが、節電状態に移行しなければ、背面の表示はされたままであるので、視認性は低下しない。さらに、接眼センサがＯＦＦにならずに、節電状態に移行した場合には、ファインダを覗けば、節電状態から復帰することができる。ユーザがファインダを覗いているか否かに関わらず、デジタルカメラ１００を構えた状態で無操作時間が、首からぶら下げて持ち歩いているときほど続く可能性は低い。
【００７６】
＜第２実施形態＞
第２実施形態は、デジタルカメラ１００の構成に関しては第１実施形態の図１、図２と同様である。第２実施形態は、第１実施形態で説明した接眼センサタイマＣは設けないが節電タイマＬの計時方法が第１実施形態とは異なる。第２実施形態では、デジタルカメラ１００を首や肩から掛けた状態でユーザが持ち歩いた際に、接眼センサ５７が物体（体）の接近と非接近とを繰り返し検知するので、無操作状態、かつ物体の接近状態が検知された状態である合計の時間を計測する。計測された合計の時間（節電タイマＬ）がタイムアウトすれば、節電状態へと移行する。第２実施形態は、図８を用いて、説明する。図８の省電移行処理は、不揮発性メモリ５６に記録されたプログラムをシステムメモリ５２に展開してシステム制御部５０が実行することで実現する。なお、この処理は、デジタルカメラ１００に電源が入ると開始する。
【００７７】
Ｓ８０１〜Ｓ８０４の処理は、図３のＳ３０１〜Ｓ３０４の処理と同様の処理である。ただし、Ｓ８０４では節電タイマＬのカウントは開始しない。
【００７８】
Ｓ８０５では、システム制御部５０は、接眼センサ５７が物体の接近を検知したか否かを判定する。物体の接近と検知したと判定した場合は、Ｓ８０６へ進み、そうでない場合は、Ｓ８０８へ進む。
【００７９】
Ｓ８０６の処理は、図３のＳ３０８の処理と同様の処理である。
【００８０】
Ｓ８０７では、システム制御部５０は、節電タイマＬのカウントを停止する、またはＳ８０４の処理の後初めてＳ８０７の処理を行う場合には、節電タイマＬのカウントを開始する。初めてＳ８０７の処理を行う場合には、Ｓ８０５における接眼検知がＹｅｓと判定されたことに応じて節電タイマＬのカウントを開始する。２回目以降については、接眼センサ５７が物体の接近を検知している間は、節電タイマＬのカウントを停止することで、ユーザがファインダ１６を覗きながら無操作で待機している場合には、節電タイマＬがカウントされて節電状態に移行しないようにする。停止された節電タイマＬの累計時間は、システムメモリ５２に記録されるが、リセットはされない。
【００８１】
Ｓ８０８の処理は、図３のＳ３０９の処理と同様の処理である。
【００８２】
Ｓ８０９では、システム制御部５０は、節電タイマＬのカウントが停止中であるか否かを判定する。節電タイマＬのカウントが停止中であると判定した場合は、Ｓ８１０へ進み、そうでない場合は、Ｓ８１１へ進む。
【００８３】
Ｓ８１０では、システム制御部５０は、停止中であった節電タイマＬのカウントを再開する。節電タイマＬのカウントが開始されていない場合には、カウントをしない。
【００８４】
Ｓ８１１〜Ｓ８１７の処理は、図３のＳ３１１〜Ｓ３１７の処理と同様の処理である。
【００８５】
Ｓ８１８では、システム制御部５０は、節電タイマＬがタイムアウトしたか否かを判定する。節電タイマＬがタイムアウトしたと判定した場合は、Ｓ８１９へ進み、そうでない場合は、Ｓ８０５へ戻り、接眼検知と操作がされるのを待つ。
【００８６】
Ｓ８１９では、システム制御部５０は、ファインダ内表示部５８と表示部２８の表示の停止、撮像駆動の停止、接眼センサ５７の検知停止をする。
【００８７】
Ｓ８２０では、システム制御部５０は、キー操作があるか否かを判定する。キー操作があれば、Ｓ８０１へ戻り、節電状態から復帰するが、そうでなければ、キー操作がされるまで待つ。
【００８８】
以上、説明した実施形態によれば、ユーザの操作性を低下させることなく、かつユーザの意図しないまま電力を大量に消費する可能性を低減することができる。ユーザがファインダ１６を覗いている状態では、節電タイマＬをカウントしないので、ユーザがファインダ１６を覗きながら撮影機会を待機している間に意図せず節電状態になる可能性が低減する。また、Ｓ８０５において接眼検知されてから、節電タイマＬのカウントを開始するので、ユーザが表示部２８を見ながら撮影機会を待機しているだけでは、節電状態には移行しない。一方ユーザが首や肩からデジタルカメラ１００をかけているが、操作をしていない場合には何度も接眼センサによる検出が行われるが、その間はカウンタが停止し、接眼センサから離れた時間の累積が所定値に達することによって、節電状態に移行することができる。
【００８９】
なお、節電タイマＬのカウントは、Ｓ８０４において開始してもよい。さらに、姿勢検知部５５において、ユーザの歩く振動が検出された（所定の周期の姿勢変化の検出）がされたことに応じて、節電タイマＬのカウントを開始してもよい。さらに、ユーザの歩く振動が検出された状態で、無操作であることが所定時間以上継続されたら、節電タイマＬをタイムアウトするようにしてもよい。
【００９０】
なお、システム制御部５０が行うものとして説明した上述の各種の制御は１つのハードウェアが行ってもよいし、複数のハードウェアが処理を分担することで、装置全体の制御を行ってもよい。
【００９１】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９２】
また、上述した実施形態においては、本発明をデジタルカメラ１００に適用した場合を例にして説明したが、これはこの例に限定されず、接近部への物体の接近を検知可能な電子機器であれば適用可能である。もしくは接近部への物体の接近を検知可能な電子機器を制御可能な装置であれば適用可能である。すなわち、本発明は携帯電話端末や携帯型の画像ビューワ、ファインダを備えるプリンタ装置、デジタルフォトフレーム、音楽プレーヤー、ゲーム機、電子ブックリーダーなどに適用可能である。
【００９３】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【符号の説明】
【００９４】
７０ａ  タッチパネル
２８  表示部
５７  接眼センサ
５８  ファインダ内表示部
【図１】
2019032373.tif 000003
【図２】
2019032373.tif 000004
【図３】
2019032373.tif 000005
【図４】
2019032373.tif 000006
【図５】
2019032373.tif 000007
【図６】
2019032373.tif 000008
【図７】
2019032373.tif 000009
【図８】
2019032373.tif 000010